(57)【要約】      （修正有）【課題】不使用時にコードがまとめられたイヤホン装置を迅速に使用状態にすることができ、以て、イヤホン装置の操作性を改善するイヤホンコード巻取り装置を提供する。【解決手段】イヤホンコード巻取り装置１は、ベース板１０に複数の係止溝１１、１２、１３が形成されたイヤホンコード巻取り装置である。イヤホンコード巻取り装置１は、ベース板１０の幅方向に対向する二辺のうち、一方の辺に設けられイヤホン装置のイヤホンを係止する第１係止溝１１、及び他方の辺に設けられイヤホン装置の接続プラグを係止する第２係止溝１２と、ベース板１０の長手方向に対向する二辺に設けられイヤホン装置のコードを係止する第３係止溝１３と、を備える。【選択図】図１
0003233050.tif 000002
【実用新案登録請求の範囲】
【請求項１】
ベース板に複数の係止溝が形成されたイヤホンコード巻取り装置であって、
前記ベース板の幅方向に対向する二辺のうち、一方の辺に設けられイヤホン装置のイヤホンを係止する第１係止溝、及び他方の辺に設けられ前記イヤホン装置の接続プラグを係止する第２係止溝と、
前記ベース板の長手方向に対向する二辺に設けられ前記イヤホン装置のコードを係止する第３係止溝と、
を備える、イヤホンコード巻取り装置。
【考案の詳細な説明】
【技術分野】
【０００１】
本考案は、イヤホンコード巻取り装置に関する。
【背景技術】
【０００２】
従来から、例えば、家庭内での音響機器に接続して使用されるイヤホン装置は、そのコード長が１ｍから１．５ｍの長いイヤホンコードを備えたものが多い。そして、このようなイヤホン装置は、使用後にそのまま放置されることがある。そうすると、イヤホンコードが絡み易くなり、次にイヤホン装置を使用しようとするときに、すぐに使用できない事態が生じ得る。
【０００３】
ここで、イヤホンコードの絡みを抑制するために、コード巻付板にイヤホンコードを巻き付けることが考えられる。
【０００４】
また、特許文献１には、ヘッドホン装置等のコードが絡まるのを防止する技術として、カールコードを伸縮自在の蛇腹手段内に収納するようにしたコード収納装置が開示されている。
【先行技術文献】
【特許文献】
【０００５】
【特許文献１】実開平６−７０３９４号公報
【考案の概要】
【考案が解決しようとする課題】
【０００６】
イヤホンコードの絡みを抑制するために、コード巻付板にイヤホンコードを巻き付けることが考えられるが、仮に、コード巻付板へのイヤホンコードの巻き付けが不確実であると、コードがまるまってしまい絡んでしまう虞があるため、やはり、次にイヤホン装置を使用しようとするときに、すぐに使用できない事態が生じ得る。
【０００７】
また、特許文献１に記載の技術によれば、コードが蛇腹手段内に収納されることでイヤホン装置の未使用時にコードが絡まるのを防止できるようにも思われる。しかしながら、この技術では、イヤホン装置の使用時においても上記の蛇腹手段が装着されたままであるため、イヤホン装置の操作性が損なわれてしまう虞がある。そして、イヤホン装置のコードが絡まるのを防止し、イヤホン装置の操作性を改善する技術については、未だ改良の余地を残すものである。
【０００８】
本開示の目的は、不使用時にコードがまとめられたイヤホン装置を迅速に使用状態にすることができ、以て、イヤホン装置の操作性を改善することができる装置を提供することにある。
【課題を解決するための手段】
【０００９】
本開示のイヤホンコード巻取り装置は、ベース板に複数の係止溝が形成されたイヤホンコード巻取り装置である。そして、このイヤホンコード巻取り装置は、前記ベース板の幅方向に対向する二辺のうち、一方の辺に設けられイヤホン装置のイヤホンを係止する第１係止溝、及び他方の辺に設けられ前記イヤホン装置の接続プラグを係止する第２係止溝と、前記ベース板の長手方向に対向する二辺に設けられ前記イヤホン装置のコードを係止する第３係止溝と、を備える。
【００１０】
上記のイヤホンコード巻取り装置では、イヤホン装置のイヤホン、接続プラグ、およびコードが各係止溝に係止されるとともに、該コードがベース板に巻き付けられる。そのため、コードのたるみが抑制されるとともに、ベース板へのコードの巻き付けが安定する。そして、このように不使用時にコードがまとめられたイヤホン装置を使用しようとする時は、イヤホン装置の接続プラグを第２係止溝から取り外し、取り外した該接続プラグを持って振り落とせば、イヤホンコード巻取り装置の自重によりコードが絡まることなくイヤホン装置を迅速に使用状態にすることができ、イヤホン装置の操作性が改善される。
【考案の効果】
【００１１】
本開示によれば、不使用時にコードがまとめられたイヤホン装置を迅速に使用状態にすることができ、以て、イヤホン装置の操作性を改善することができる。
【図面の簡単な説明】
【００１２】
【図１】実施形態におけるイヤホンコード巻取り装置の概略構成を示す図である。
【図２】実施形態のイヤホンコード巻取り装置に係止されるイヤホン装置を説明するための図である。
【考案を実施するための形態】
【００１３】
以下、図面に基づいて、本開示の実施の形態を説明する。以下の実施形態の構成は例示であり、本開示は実施形態の構成に限定されない。
【００１４】
本実施形態におけるイヤホンコード巻取り装置の概要について、図１および図２を参照しながら説明する。図１は、本実施形態におけるイヤホンコード巻取り装置の概略構成を示す図である。本実施形態に係るイヤホンコード巻取り装置１は、接続プラグ、および該接続プラグとイヤホンとを繋ぐコードを備えたイヤホン装置の操作性を改善するものである。
【００１５】
図１に示すように、イヤホンコード巻取り装置１は、ベース板１０を含んで構成される。このベース板１０は、例えば、厚みが１〜２ｍｍの厚紙によって形成される。ただし、ベース板１０の材料をこれに限定する意図はなく、ベース板１０は、例えば、所定の樹脂材料によって形成されてもよい。そして、ベース板１０は、例えば、長さが９０ｍｍ、幅が７０ｍｍに形成される。
【００１６】
ベース板１０には、イヤホン装置を係止するための複数の係止溝が形成される。詳しくは、ベース板１０の幅方向に対向する二辺のうちの一方の辺には、イヤホン装置のイヤホンを係止するための第１係止溝１１が設けられる。また、ベース板１０の幅方向に対向する二辺のうちの他方の辺には、イヤホン装置の接続プラグを係止するための第２係止溝１２が設けられる。なお、本実施形態では、上記の一方の辺に３つの第１係止溝１１（１１ａ、１１ｂ、１１ｃ）が設けられ、上記の他方の辺に３つの第２係止溝１２（１２ａ、１２ｂ、１２ｃ）が設けられる。
【００１７】
ここで、図２は、本実施形態のイヤホンコード巻取り装置１に係止されるイヤホン装置を説明するための図である。本実施形態のイヤホンコード巻取り装置１では、図２に示すように、上述した３つの第１係止溝１１のうちの両端の第１係止溝１１ａ、１１ｃにイヤホン装置のイヤホンを係止することができる。その結果、図２において破線で表される裏面のコードに示されるように、イヤホン装置のコードがバランス良く第２係止溝１２に導かれることになるので、コードのたるみを防止できる。そして、たるみ無く第２係止溝１２の方に導かれたコードの先端の接続プラグを、上述した３つの第２係止溝１２のうちの近くの第２係止溝１２ｂに係止することができる。ただし、このような近くの第２係止溝１２が第２係止溝１２ｂに限定されることはなく、コードの長さによっては、接続プラグが第２係止溝１２ａまたは１２ｃに係止され得る。なお、図２に示すように、第１係止溝１１および第２係止溝１２は、ベース板１０に形成された矩形の溝であって、例えば、その幅が４ｍｍである。
【００１８】
また、ベース板１０の長手方向に対向する二辺には、イヤホン装置のコードを係止するための第３係止溝１３（１３ａ、１３ｂ、１３ｃ、１３ｄ）が設けられる。そして、図２に示すように、この第３係止溝１３ａ、１３ｃにイヤホン装置のコードが係止されながら該コードがベース板１０に巻き付けられる。これにより、イヤホン装置の不使用時に、そのコードをイヤホンコード巻取り装置１に巻取ることができる。
【００１９】
このようなイヤホンコード巻取り装置１では、イヤホン装置のイヤホン、接続プラグ、およびコードが各係止溝に係止される。そのため、ベース板１０へのコードの巻き付けが安定する。そして、このように不使用時にコードがまとめられたイヤホン装置を使用しようとする時は、イヤホン装置の接続プラグを第２係止溝１２から取り外し、取り外した該接続プラグを持って振り落とせば、イヤホンコード巻取り装置１の自重によりコードが絡まることなくイヤホン装置を迅速に使用状態にすることができ、イヤホン装置の操作性が改善される。
【００２０】
以上に述べたイヤホンコード巻取り装置１によれば、不使用時にコードがまとめられたイヤホン装置を迅速に使用状態にすることができ、以て、イヤホン装置の操作性を改善することができる。
【００２１】
上記の実施形態はあくまでも一例であって、本開示はその要旨を逸脱しない範囲内で適宜変更して実施しうる。例えば、本開示において説明した処理や手段は、技術的な矛盾が生じない限りにおいて、自由に組み合わせて実施することができる。
【符号の説明】
【００２２】
１・・・・・イヤホンコード巻取り装置
１０・・・・ベース板
１１・・・・第１係止溝
１２・・・・第２係止溝
１３・・・・第３係止溝
【図１】
0003233050.tif 000003
【図２】
0003233050.tif 000004